(57)【要約】      （修正有）【課題】空気流を３つの吐出ダクトへ分配できる、車両の換気装置のための空気案内装置を提供する。【解決手段】吸い込みダクト（１２）と、吸い込みダクト（１２）から分岐した複数の吐出ダクト（１４）（１６）（１８）と、制御部（２０）とを有し、制御部（２０）は、第１案内ベーン（２４ａ）を有する第１案内部（２４）と、第１案内部（２４）から離れ、第２案内ベーン（２６）を有する第２案内部とを備える。第１案内ベーン（２４ａ）及び第２案内ベーン（２６）は、制御部（２０）の旋回位置に基づいて、吸い込みダクト（１２）からの空気流を吐出ダクト（１４）（１６）（１８）へ分配し、補助案内ベーン（２４ｂ）は、隣接する２つの吐出ダクト（１６）（１８）間の流路をブロックまたは制限する。１つの制御部（２０）により、吸い込みダクト（１２）からの空気流を、３つの吐出ダクト（１４）（１６）（１８）へ最適に流すことができる。【選択図】図１
2005300146.tif 000002
【特許請求の範囲】
【請求項１】
吸い込みダクト（１２）と、吸い込みダクト（１２）から分岐した複数の吐出ダクト（１４）（１６）（１８）と、制御部（２０）とを有する車両の換気装置のための空気案内装置であって、制御部（２０）は、第１案内ベーン（２４ａ）を有する第１案内部（２４）と、第１案内部（２４）から離れ、第２案内ベーン（２６）を有する第２案内部とを備え、かつ旋回軸（２２）の周りを旋回可能である空気案内装置において、
一端が自由端となっている補助案内ベーン（２４ｂ）を、固定角度で第１案内部（２４）に取り付け、第１案内ベーン（２４ａ）及び第２案内ベーン（２６）は、制御部（２０）の旋回位置に基づいて、吸い込みダクト（１２）からの空気流を吐出ダクト（１４）（１６）（１８）へ分配し、補助案内ベーン（２４ｂ）は、隣接する２つの吐出ダクト（１６）（１８）間の流路を、ブロックするか、または制限するようになっていることを特徴とする空気案内装置。
【請求項２】
補助案内ベーン（２４ｂ）を、旋回軸（２２）の周辺において、第１案内ベーン（２４ａ）と連結してあることを特徴とする、請求項１記載の空気案内装置。
【請求項３】
第２案内ベーン（２６）は、第１案内ベーン（２４ａ）と実質的に平行であることを特徴とする、請求項１または２記載の空気案内装置。
【請求項４】
第１案内部（２４）はハブ（２５）を有し、ハブ（２５）は、旋回軸（２２）を包囲し、かつ第１案内ベーン（２４ａ）の中央領域と連結し、補助案内ベーン（２４ｂ）は、ハブ（２５）と連結されていることを特徴とする、請求項１〜３のいずれか１つに記載の空気案内装置。
【請求項５】
隣接する吐出ダクト（１６）（１８）は、制御部（２０）により偏向されて、吸い込みダクト（１２）からの空気流とは反対方向へ、空気流を吐出するようになっていることを特徴とする、請求項１〜４のいずれか１つに記載の空気案内装置。
【請求項６】
１つの吐出ダクト（１４）は、吸い込みダクト（１２）からの空気流の方向と同方向へ、空気流を吐出するようになっていることを特徴とする、請求項１〜５のいずれか１つに記載の空気案内装置。
【請求項７】
制御部（２０）は、第１案内ベーン（２４ａ）により、吸い込みダクト（１２）を隣接する２つの吐出ダクト（１６）（１８）からブロックし、かつ吸い込みダクト（１２）の空気流の方向と同方向に空気流を吐出する吐出ダクト（１４）へ、空気流を案内する第１の端位置を有することを特徴とする、請求項１〜６のいずれか１つに記載の空気案内装置。
【請求項８】
制御部（２０）は、
−第２案内ベーン（２６）により、吸い込みダクト（１２）からの空気流の方向と同方向へ空気流を吐出する吐出ダクト（１４）への流路を制限し、
−吸い込みダクト（１２）からの空気流を、第１案内ベーン（２４ａ）及び補助案内ベーン（２４ｂ）により偏向させて、隣接する２つの吐出ダクト（１６）（１８）の一方の吐出ダクト（１６）へ流す流路を形成し、
−第２案内ベーン（２６）と第１案内ベーン（２４ａ）との間に、隣接する２つの吐出ダクト（１６）（１８）の他方の吐出ダクト（１８）へ空気流を偏向させる流路を形成する第２の端位置に位置するようになっていることを特徴とする、請求項７記載の空気案内装置。
【請求項９】
制御部（２０）の第２の端位置において、補助案内ベーン（２４ｂ）は、隣接する２つの吐出ダクト（１６）（１８）間に流路ギャップ（２８）を形成していることを特徴とする、請求項８記載の空気案内装置。
【請求項１０】
制御部（２０）の第１案内ベーン（２４ａ）は、隣接する２つの吐出ダクト（１６）（１８）の他方の吐出ダクト（１８）に空気流をさらに偏向させる折れ曲がった自由端（２４ｃ）を備えていることを特徴とする、請求項９記載の空気案内装置。
【請求項１１】
吸い込みダクト（１２）を分配ハウジング（１０）内に開口させ、かつ制御部（２０）を取り付けてなり、前記分配ハウジング（１０）は、
−吸い込みダクト（１２）からの空気流と同方向に空気流を吐出する第１の吐出ダクト（１４）と、
−吸い込みダクト（１２）に隣接し、吸い込みダクト（１２）からの空気流と反対方向へ空気流を吐出する第２の吐出ダクト（１６）と、
−第２の吐出ダクト（１６）と隣接し、かつ鋭角をなして形成された第３の吐出ダクト（１８）とを備えている、請求項１〜１０のいずれか１つに記載の空気案内装置。
【発明の詳細な説明】
【技術分野】
【０００１】
本発明は、吸い込みダクトと、吸い込みダクトから分岐した複数の吐出ダクトと、制御部とを有する車両の換気装置のための空気案内装置であって、制御部は、第１案内ベーンを有する第１案内部と、第１案内部から離れ、第２案内ベーンを有する第２案内部とを備え、かつ旋回軸の周りを旋回可能となっている空気案内装置に関する。
【背景技術】
【０００２】
一般的なタイプの空気案内装置は、ドイツ国特許公開第101 55 040 号により公知である。この空気案内装置においては、分配ハウジングに吸入された空気流は、２つの吐出ダクトに分配される。制御部が一方の端に来ると、主案内部は、吐出ダクトの一方を完全にブロックする。この場合の吐出ダクトは、車室内における乗客の足元用のものである。この位置において、制御部の案内部は、車室の上方領域にある種々の吐出ベントに空気流を流すように位置する。
【０００３】
制御部が反対の端に来ると、案内部は、空気流に対して横方向を向き、副案内部は、主案内部よりも空気流に対して突出し、そのため、大部分の空気流は、乗客の足元にある吐出ベントと連結されている吐出ダクトへ分岐される。
【発明の開示】
【発明が解決しようとする課題】
【０００４】
しかしながら、公知の空気案内装置では、空気流は、２つの吐出ダクトのみにしか分配されない。
【０００５】
本発明は、空気流を３つの吐出ダクトへ分配できる、車両の換気装置のための空気案内装置を提供するものである。
【課題を解決するための手段】
【０００６】
本発明によれば、上述した一般的なタイプの空気案内装置の場合、一端が自由端となっている補助案内ベーンを、固定角度で第１案内部に取り付け、第１案内ベーン及び第２案内ベーンは、制御部の旋回位置に基づいて、吸い込みダクトからの空気流を吐出ダクトへ分配し、補助案内ベーンは、隣接する２つの吐出ダクト間の流路を、ブロックするか、または制限するようになっている。
【０００７】
本発明による空気案内装置では、制御部は第１及び第２案内部だけを有しているが、制御部を旋回させることにより、吸い込みダクトからの空気流を３つの吐出ダクトへ最適に分配できるようになっている。これは、追加的な補助ベーンと、制御部領域に種々のダクトを好適に配列することによって達成される。案内部の位置に基づいて、空気流を３つの吐出ダクトへ、可変的に分配できる。第１案内部の形状は、基本的には自由である。
【０００８】
従って、補助案内ベーンが旋回軸の周りで、第１案内ベーンに連結され、第２案内ベーンが、第１案内ベーンと平行に設けられていると好適である。それにより、非常に小型化され、空気流は好適なものとなる。
【０００９】
制御部の旋回軸が補助案内ベーンと対向して、主案内部の側方から離れて設けられているドイツ国特許公報第101 55 040号公報による空気案内装置と比べて、本発明による空気案内装置は、第１案内部が、旋回軸を包囲し、かつ第１案内ベーンの中央領域に連結されたハブを有し、補助案内ベーンがハブに連結されているので、さらに小型となっている。また、旋回軸は、第１案内ベーンと隣接しているため、制御部の旋回領域は小さくなる。
【００１０】
本発明の好ましい実施例によれば、隣接する吐出ダクトは、制御部により偏向され、吸い込みダクトからの空気流とは反対方向へ、空気流を吐出することができる。この場合、吐出ダクトの１つは、吸い込みダクトからの空気流の方向と同方向に空気流を流す。この吐出ダクトは、車両内側の上方領域にある吐出ベントと連結された吐出ダクトであるのが好ましい。
【００１１】
一方、隣接する吐出ダクトは、車両内側の乗客の足元にある吐出ベントと連結された吐出ダクトであるのが好ましい。
【００１２】
本発明の好適な実施例は、従属請求項及び図面を用いて行う説明から明らかになると思う。
【発明を実施するための最良の形態】
【００１３】
図面には、車両の換気、加熱及び空調装置の一部である空気案内装置の分配ハウジング（１０）を示してある。分配ハウジング（１０）には、空調された空気流を流す吸い込みダクト（１２）と、３つの吐出ダクト（１４）（１６）（１８）とが設けられている。
【００１４】
第１の吐出ダクト（１４）は、吸い込みダクト（１２）からの空気流の方向をほぼ変えずに吐出し、分配ハウジング（１０）の中心へ向かって、吸い込みダクト（１２）から横方向に偏位して設けられている。第２の吐出ダクト（１６）は、吸い込みダクト（１２）と隣接しており、かつそれとは反対の方向に空気流を流すようになっている。第３の吐出ダクト（１８）は、第２の吐出ダクト（１６）と鋭角をなして隣接している。従って、２つの隣接する吐出ダクト（１６）（１８）からは、吸い込みダクト（１２）の空気流とは反対方向に空気流が吐出される。
【００１５】
分配ハウジング（１０）内において、制御部（２０）は旋回軸（２２）の周りを旋回可能に取り付けられている。制御部（２０）は、旋回軸（２２）の両側にシート状に連続して延びている第１案内ベーン（２４ａ）と、ハブ（２５）から延び、第１案内ベーン（２４ａ）に対してほぼ３０°の鋭角をなしている補助案内ベーン（２４ｂ）とを有する第１案内部（２４）を備えている。また、制御部（２０）は、第１案内部（２４）から離れ、第１案内ベーン（２４ａ）と平行をなす第２案内ベーン（２６）を備えている。
【００１６】
図１を参照すると、旋回軸（２２）は、分配ハウジング（１０）内において、吐出ダクト（１６）の上方、吐出ダクト（１４）の下方、及び吸い込みダクト（１２）と吐出ダクト（１８）との間に設けられている。
【００１７】
図１に実線で示す制御部（２０）は、通常動作位置である中間位置に位置している。この位置において、吸い込みダクト（１２）からの空気琉は、３つの吐出ダクト（１４）（１６）（１８）へ流れる。第１案内部（２４）の第１案内ベーン（２４ａ）の短い片は、吸い込みダクト（１２）へ突出しており、空気流を吐出ダクト（１６）へ分岐させている。この空気流は、補助案内ベーン（２４ｂ）により、吐出ダクト（１６）の方向へ偏向される。この位置において、補助案内ベーン（２４ｂ）は、隣接する吐出ダクト（１８）の開口に対してシールをしている。この流路を想到に絞ってもよい。
【００１８】
補助案内ベーン（２４ｂ）と離れて対向する第１案内ベーン（２４ａ）の面は、第２案内ベーン（２６）の対向する面とともに動き、吐出ダクト（１４）（１８）を部分的に開き、空気流を偏向させる。この偏向は、吐出ダクト（１８）へ向かって折り曲げられた、第１案内ベーン（２４ａ）の端部（２４ｃ）により補助される。
【００１９】
さらに、第１案内ベーン（２４ａ）から離れた面と、分配ハウジング（１０）の内面と対向する面とを有する第２案内ベーン（２６）は、吐出ダクト（１４）に開口している通風ダクトと連なっている。
【００２０】
図１に破線で示す制御部（２０）は、端位置にあり、制御部（２０）は、足元の吐出ベントと連なっている隣接する２つの吐出ダクト（１６）（１８）をブロックしている。この位置において、第１案内ベーン（２４ａ）は、分配ハウジング（１０）内で隣接する２つの吐出ダクト（１６）（１８）にまたがって完全に遮蔽する。一方、補助案内ベーン（２４ｂ）は、案内機能を有しない。
【００２１】
第２案内ベーン（２６）は、吸い込みダクト（１２）と吐出ダクト（１４）との間の流路において、空気流に対して好適に位置している。この流路は、空気流のために吐出ダクト（１６）（１８）を塞いでいる第１案内ベーン（２４ａ）により区切られている。従って、吸い込みダクト（１２）からの空気流は、実質的に無駄なく、全て吐出ダクト（１４）へ流れる。吐出ダクト（１４）は、例えば、車両内側の上方領域にある吐出ベント（ダッシュボードキャリア、霜取りノズル等にある吐出ベント）へ空気流を分配する。
【００２２】
図２は、図１の破線で示す端位置とは反対の端位置にある制御部（２０）を示している。この位置において、吸い込みダクト（１２）からの空気流は、吐出ダクト（１４）へ流れるとともに、隣接する吐出ダクト（１６）（１８）へ同等に流れる。第１案内ベーン（２４ａ）の機能は、図１に示した中間位置にある場合と同様である。唯一の相違点は、吐出ダクト（１６）（１８）への流路の断面が大きくなっており、第１案内ベーン（２４ａ）の短い片の自由端が、空気が流れる吸い込みダクト（１２）へ、さらに突出していることである。
【００２３】
補助案内ベーン（２４ｂ）の自由端は、分配ハウジング（１０）の内面から僅かに離れて位置し、狭い流路ギャップ（２８）を形成している。この流路ギャップ（２８）から第１案内ベーン（２４ａ）へ流れ、折れ曲がった自由端（２４ｃ）により偏向される部分空気流により、吐出ダクト（１８）へ流れる空気流が増加する。
【００２４】
第２案内ベーン（２６）の自由端は、分配ハウジング（１０）の内面をシールし、吐出ダクト（１４）の大部分をシールドしているが、流路ギャップ（３０）を比較的広くしたままとなっている。部分空気流が、第２案内ベーン（２６）と第１案内ベーン（２４ａ）の対向面との間に流れ、その大部分が吐出ダクト（１８）へ流れるが、一部は、流路ギャップ（３０）から分岐して吐出ダクト（１４）へ流れる。
【図面の簡単な説明】
【００２５】
【図１】吸い込みダクト、３つの吐出ダクト、及び中間位置にある制御部を示した分配ハウジングの断面図であり、破線は第１の端位置を示している。
【図２】制御部が第２の端位置に位置している時の分配ハウジングの断面図である。
【符号の説明】
【００２６】
１０      分配ハウジング
１２      吸い込みダクト
１４、１６、１８  吐出ダクト
２０      制御部
２２      旋回軸
２４      第１案内部
２４ａ    第１案内ベーン
２４ｂ    補助案内ベーン
２５      ハブ
２６      第２案内ベーン
２８、３０  流路ギャップ
【図１】
2005300146.tif 000003
【図２】
2005300146.tif 000004